【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
プロセスプラントをコミッショニングする方法であって、前記プロセスプラントが、フィールド環境及びバックエンド環境を有し、前記方法が、
前記プロセスプラントの前記フィールド環境内に配置された１つ以上のコンピューティングデバイスを使用して、フィールドデバイスが入力／出力（Ｉ／Ｏ）割り当て解除状態である間に、前記フィールドデバイスのデバイスプレースホルダーオブジェクトのインスタンスを構成することであって、前記構成したデバイスプレースホルダーオブジェクトのインスタンスが、前記フィールドデバイスのＩ／Ｏ抽象化構成を定義し、
前記フィールドデバイスが、前記プロセスプラントのランタイム中に、前記プロセスプラントの前記フィールド環境内で物理的機能を行い、そして、Ｉ／Ｏデバイスに通信的に接続されたポートを介して、前記物理的機能に対応するデータの送信または受信のうちの少なくとも１つを行って、前記プロセスプラント内で実行されるプロセスを制御し、
前記フィールドデバイスの前記Ｉ／Ｏ割り当て解除状態が、前記フィールドデバイスが任意のＩ／Ｏデバイスを介して通信するように割り当てられていないことを示す、構成することと、
前記フィールドデバイスの前記Ｉ／Ｏ抽象化構成に基づいて、前記１つ以上のコンピューティングデバイスによって、前記フィールドデバイスが前記Ｉ／Ｏ割り当て解除状態である間に、前記フィールドデバイスにおいて１つ以上のコミッショニングアクションを開始することと、を含む、方法。
【請求項２】
前記フィールドデバイスの前記デバイスプレースホルダーオブジェクトの前記インスタンスを構成することが、前記デバイスプレースホルダーオブジェクトの１つ以上のプロパティのそれぞれの値を記憶することを含み、それぞれの値が、前記フィールドデバイスを記述するそれぞれのカテゴリまたはタイプを示す、請求項１に記載の方法。
【請求項３】
前記フィールドデバイスを記述する前記それぞれのカテゴリまたはタイプを示す前記それぞれの値を記憶することが、１つ以上の値を記憶することを含み、該１つ以上の値の各々が、Ｉ／Ｏインターフェースタイプ、デバイスタイプ、前記デバイスタイプの特徴、Ｉ／Ｏ構成タイプ、前記Ｉ／Ｏ構成パラメータタイプのプロパティ、または前記Ｉ／Ｏ構成タイプのチャネルパラメータをそれぞれ示す、請求項２に記載の方法。
【請求項４】
前記プロセスプラントの前記フィールド環境内に配置されたユーザインターフェースを介して、前記１つ以上のプロパティの少なくとも１つのそれぞれの値を受信すること、
前記１つ以上のコンピューティングデバイスによって、データストアから前記１つ以上のプロパティの少なくとも１つのそれぞれの値を取得すること、または
前記１つ以上のコンピューティングデバイスによって、前記プロセスプラントの前記フィールド環境内で実行するアプリケーションから、前記１つ以上のプロパティの少なくとも１つのそれぞれの値を取得すること、のうちの少なくとも１つをさらに含む、請求項２または３に記載の方法。
【請求項５】
前記デバイスプレースホルダーオブジェクトが、複数のプロパティを含み、前記方法が、前記フィールドデバイスの前記構成したデバイスプレースホルダーオブジェクトのインスタンスの第２のプロパティについて記憶した値に基づいて、前記フィールドデバイスの前記構成したデバイスプレースホルダーオブジェクトのインスタンスの第１のプロパティを公開することをさらに含む、請求項２〜４のいずれか一項に記載の方法。
【請求項６】
前記第２のプロパティについて記憶した前記値と、前記第１のプロパティの前記公開との関連付けを判定することをさらに含む、請求項５に記載の方法。
【請求項７】
前記フィールドデバイスにおいて前記１つ以上のコミッショニングアクションを開始することが、前記フィールドデバイスの前記Ｉ／Ｏ抽象化構成を利用して、コミッショニングアクションを開始することを含む、請求項１〜６のいずれか一項に記載の方法。
【請求項８】
前記フィールドデバイスの前記Ｉ／Ｏ抽象化構成を定義することが、前記フィールドデバイスを示すシステムタグを取得することを含み、前記システムタグが、一組の構文解析規則を使用する前記１つ以上のコンピューティングデバイスによって、前記フィールドデバイスを一意的に識別するソースタグから自動的に導出される、請求項１〜７のいずれか一項に記載の方法。
【請求項９】
前記フィールドデバイスが前記Ｉ／Ｏ割り当て解除状態であることを検出することをさらに含み、前記１つ以上のコミッショニングアクションが、前記フィールドデバイスが前記Ｉ／Ｏ割り当て解除状態であることを前記検出することに基づく、請求項１〜８のいずれか一項に記載の方法。
【請求項１０】
前記フィールドデバイスがＩ／Ｏ割り当て状態であることを検出することであって、前記Ｉ／Ｏ割り当て状態が、前記フィールドデバイスが前記フィールド環境内に配置された特定のＩ／Ｏデバイスに指定されていることを示す、検出することと、
前記フィールドデバイスが前記Ｉ／Ｏ割り当て状態であることを前記検出することに基づいて、１つ以上の追加的なコミッショニングアクションを開始することであって、前記１つ以上の追加的なコミッショニングアクションが、前記フィールドデバイスを前記特定のＩ／Ｏデバイスに前記割り当てることに基づく、開始することと、をさらに含む、請求項１〜９のいずれか一項に記載の方法。
【請求項１１】
前記方法の少なくとも一部分が、前記プロセスプラントの前記フィールド環境のステージング領域または前記プロセスプラントの前記フィールド環境の設置領域、のうちの少なくとも１つにおいて行われる、請求項１〜１０のいずれか一項に記載の方法。
【請求項１２】
フィールド環境及びバックエンド環境を有するプロセスプラントをコミッショニングするためのシステムであって、
前記フィールド環境内に配置されたデバイスプレースホルダーオブジェクトと、
前記フィールド環境内に配置されたアプリケーションであって、前記アプリケーション
が、コンピュータ実行可能命令を備え、該コンピュータ実行可能命令が、１つ以上のメモリに記憶され、また、１つ以上のプロセッサによって実行されたときに、前記システムに、
フィールドデバイスが入力／出力（Ｉ／Ｏ）割り当て解除状態である間に、前記フィールドデバイスの前記デバイスプレースホルダーオブジェクトのインスタンスを構成させ、前記構成したデバイスプレースホルダーオブジェクトのインスタンスが、前記フィールドデバイスのＩ／Ｏ抽象化構成を定義し、
前記フィールドデバイスが、前記プロセスプラントのランタイム中に、前記プロセスプラントの前記フィールド環境内で物理的機能を行い、そして、Ｉ／Ｏデバイスに通信的に接続されたポートを介して、前記物理的機能に対応するデータの送信または受信のうちの少なくとも１つを行って、前記プロセスプラント内で実行されるプロセスを制御し、
前記フィールドデバイスの前記Ｉ／Ｏ割り当て解除状態が、前記フィールドデバイスが任意のＩ／Ｏデバイスを介して通信するように割り当てられていないことを示し、
前記フィールドデバイスが前記Ｉ／Ｏ割り当て解除状態である間に、前記フィールドデバイスにおける１つ以上のコミッショニングアクションによって使用するための前記フィールドデバイスの前記Ｉ／Ｏ抽象化構成を、前記１つ以上のメモリに記憶させる、アプリケーションと、を備える、システム。
【請求項１３】
前記フィールドデバイスの前記構成したデバイスプレースホルダーオブジェクトのインスタンスが、前記デバイスプレースホルダーオブジェクトの１つ以上のプロパティのそれぞれの値を含み、それぞれの値が、前記フィールドデバイスを記述するそれぞれのカテゴリまたはタイプを示す、請求項１２に記載のシステム。
【請求項１４】
前記フィールドデバイスの前記構成したデバイスプレースホルダーオブジェクトのインスタンスのプロパティの値が、前記フィールドデバイスが前記Ｉ／Ｏ割り当て解除状態であることを示す、請求項１３に記載のシステム。
【請求項１５】
前記１つ以上のプロパティのうちの少なくとも１つが、公開されたプロパティである、請求項１４に記載のシステム。
【請求項１６】
前記１つ以上のプロパティのうちの少なくとも１つが、隠されたプロパティである、請求項１４または１５に記載のシステム。
【請求項１７】
前記フィールドデバイスを記述する前記それぞれのカテゴリまたはタイプを示す前記それぞれの値が、１つ以上の値を含み、該１つ以上の値の各々が、Ｉ／Ｏインターフェースタイプ、デバイスタイプ、前記デバイスタイプの特徴、Ｉ／Ｏ構成タイプ、前記Ｉ／Ｏ構成パラメータタイプのプロパティ、または前記Ｉ／Ｏ構成タイプのチャネルパラメータをそれぞれ示す、請求項１４〜１６のいずれか一項に記載のシステム。
【請求項１８】
前記プロセスプラントの前記フィールド環境内に配置されたユーザインターフェースをさらに備え、前記１つ以上のプロパティの少なくとも１つのそれぞれの値が、前記ユーザインターフェースを介して取得される、請求項１４〜１７のいずれか一項に記載のシステム。
【請求項１９】
そのコンテンツが前記アプリケーションにアクセス可能であるデータストアをさらに備え、前記１つ以上のプロパティの少なくとも１つのそれぞれの値が、前記データストアから前記アプリケーションによって取得される、請求項１４〜１８のいずれか一項に記載のシステム。
【請求項２０】
前記プロセスプラントの前記フィールド環境を実行する別のアプリケーションをさらに
備え、前記１つ以上のプロパティの少なくとも１つのそれぞれの値が、前記別のアプリケーションから取得される、請求項１４〜１９のいずれか一項に記載のシステム。
【請求項２１】
前記デバイスプレースホルダーオブジェクトが、複数のプロパティを含み、前記フィールドデバイスの前記構成したデバイスプレースホルダーオブジェクトのインスタンスの第２のプロパティについて記憶した値に基づいて、前記フィールドデバイスの前記構成したデバイスプレースホルダーオブジェクトのインスタンスの第１のプロパティが公開される、請求項１４〜２０のいずれか一項に記載のシステム。
【請求項２２】
プロパティ間の関連付けのマッピングをさらに備え、前記マッピングが、前記第２のプロパティについて記憶した前記値と、前記第１のプロパティの前記公開との前記関連付けを示す、請求項２１に記載のシステム。
【請求項２３】
前記アプリケーションがさらに、前記システムに、前記フィールドデバイスが前記Ｉ／Ｏ割り当て解除状態である間に、前記フィールドデバイスの前記Ｉ／Ｏ抽象化構成を利用するコミッショニングアクションを開始させる、請求項１２〜２２のいずれか一項に記載のシステム。
【請求項２４】
前記フィールド環境内に配置され、前記コンピュータ実行可能命令を備える前記アプリケーションが、第１の一組のコンピュータ実行可能命令を備える第１のアプリケーションであり、
前記システムが、前記フィールド環境内に配置され、第２の一組のコンピュータ実行可能命令を備える第２のアプリケーションをさらに備え、
前記フィールドデバイスの前記Ｉ／Ｏ抽象化構成が、前記フィールドデバイスを示すシステムタグを備え、前記システムタグが、前記第２のアプリケーションによって、前記フィールドデバイスを一意的に識別するソースタグから自動的に導出される、請求項１２〜２３のいずれか一項に記載のシステム。
【請求項２５】
前記アプリケーションを、前記フィールド環境内に配置された資産管理システム、または前記フィールド環境内に配置されたフィールドコミッショニングツール、のうちの少なくとも１つにおいて実行する、請求項１２〜２４のいずれか一項に記載のシステム。
【請求項２６】
前記アプリケーションがさらに、前記システムに、複数のフィールドデバイスについて、前記デバイスプレースホルダーオブジェクトの複数のインスタンスをバルク構成させ、それによって、前記複数のフィールドデバイスの複数のＩ／Ｏ抽象化構成を定義する、請求項１２〜２５のいずれか一項に記載のシステム。
【請求項２７】
前記複数のフィールドデバイスの前記バルク構成が、プロパティ間の関連付けのマッピングに基づく、請求項２６に記載のシステム。